(57)【要約】      （修正有）【課題】レースの競技者の競技記録と競技途中の独自情報との対応関係を把握可能な印刷物を容易に得ることができる画像形成装置、競技結果出力方法を提供する。【解決手段】画像形成装置は、競技者の識別情報に対応する要求時刻を含む要求履歴データを、サーバーから受信する（Ｓ２０３）。要求時刻は、競技途中の競技者のウェアラブル端末から追記要求が送信された時刻に相当する。情報入力部を通じた入力に従って、要求時刻に対応する独自情報を設定する（Ｓ２０４）。競技記録、要求時刻および独自情報の各々を表す画像を含む競技結果画像をシート材に形成する（Ｓ２０８）。【選択図】図６
2017043071.tif 000002
【特許請求の範囲】
【請求項１】
サーバーと通信可能な通信部と、
ユーザーによる情報の入力を受け付ける情報入力部と、
シート材に画像を形成するジョブを実行する画像形成部と、
前記情報入力部を通じて、レースの競技者を識別する識別情報を取得する識別情報取得部と、
前記識別情報に対応する前記競技者の競技記録のデータを、前記サーバーから前記通信部を通じて受信する競技記録受信部と、
前記識別情報に対応する要求時刻を含む要求履歴のデータを、前記サーバーから前記通信部を通じて受信する要求履歴受信部と、
前記情報入力部を通じた入力に従って、前記要求時刻に対応する独自情報を設定する独自情報設定部と、
前記競技記録、前記要求時刻および前記独自情報の各々を表す画像を含む競技結果画像のデータを編成する画像編成部と、
前記競技結果画像を前記シート材に形成する前記ジョブを前記画像形成部に実行させる出力制御部と、を備え、
前記要求時刻は、競技途中の前記競技者が身につけたウェアラブル端末から前記競技記録に対する情報の追記要求が送信された時刻に相当する時刻である、画像形成装置。
【請求項２】
前記独自情報設定部が、前記競技者の競技途中における走行距離の情報を前記独自情報として設定する走行距離設定部を含み、
前記画像編成部は、設定された前記走行距離およびこれに対応する前記要求時刻の情報を、競技途中における前記競技記録の一部として表す画像を含む前記競技結果画像を編成する、請求項１に記載の画像形成装置。
【請求項３】
前記要求履歴のデータに含まれる音声データを再生する音声再生部を備える、請求項１または請求項２に記載の画像形成装置。
【請求項４】
前記競技結果画像が前記シート材に形成される前の予め定められたタイミングにおいて、前記独自情報が設定されていない前記要求時刻が存在する場合に警告を出力する警告出力部を備える、請求項１から請求項３のいずれか１項に記載の画像形成装置。
【請求項５】
前記出力制御部は、前記競技記録のデータに完走を認定する情報が含まれる場合に、完走認定証の画像を前記シート材に形成する前記ジョブも前記画像形成部に実行させる、請求項１から請求項４のいずれか１項に記載の画像形成装置。
【請求項６】
レースの競技者の競技記録を表す画像を含む競技結果画像をシート材に形成する競技結果出力方法であって、
競技中の前記競技者が身につけたウェアラブル端末が、前記競技者による送信イベントの入力に応じて、前記競技者を識別する識別情報を含む追記要求データをサーバーに無線送信する工程と、
前記ウェアラブル端末、画像形成装置またはその他の情報端末が、前記識別情報に対応する前記競技者の競技記録のデータを前記サーバーから受信する工程と、
前記ウェアラブル端末、前記画像形成装置またはその他の前記情報端末が、前記識別情報に対応する前記追記要求データが送信された時刻に相当する要求時刻を含む要求履歴のデータを、前記サーバーから受信する工程と、
前記ウェアラブル端末、前記画像形成装置またはその他の前記情報端末が、ユーザーによる情報入力に従って、前記要求時刻に対応する独自情報を設定する工程と、
前記ウェアラブル端末、前記画像形成装置またはその他の前記情報端末が、前記競技記録、前記要求時刻および前記独自情報の各々を表す画像を含む前記競技結果画像のデータを編成する工程と、
前記画像形成装置が、前記競技結果画像を前記シート材に形成するジョブを実行する工程と、を含む、競技結果出力方法。
【発明の詳細な説明】
【技術分野】
【０００１】
本発明は、画像形成装置および競技結果出力方法に関する。
【背景技術】
【０００２】
一般に、マラソン、トライアスロンまたは自転車レースなどのレースにおいて、各競技者の競技記録のデータがサーバーに収集されることが知られている。前記競技記録は、スタート地点からゴール地点に至るまでの計時時間の他、前記スタート地点からコース途中の予め定められた中間計測地点に至るまでの計時時間なども含む。
【０００３】
また、前記競技者各々のスプリット時間および順位などの競技情報が、前記サーバーから前記競技者各々のウェアラブル端末へ送信されることも知られている（例えば、特許文献１参照）。
【先行技術文献】
【特許文献】
【０００４】
【特許文献１】特開２００３−１０９０５６号公報
【発明の概要】
【発明が解決しようとする課題】
【０００５】
ところで、プリンターなどの画像形成装置が、前記サーバーから前記競技者各々の競技記録を表す画像の印刷ジョブを取得し、その印刷ジョブを実行することが考えられる。これにより、前記競技者各々の競技記録を表す画像がシート材に形成される。また、前記競技者は、自身の競技結果を印刷物によって確認することができる。
【０００６】
一方、前記競技者が、競技途中における独自情報と公式の競技記録との対応関係を把握したい場合がある。前記独自情報は、公式には計時されない詳細な計時記録、自身の体調およびアクシデントなどに関する情報である。例えば、前記競技者は、足の痛みなどの体調変化を感じた時点、または、給水の失敗などのアクシデントが発生した時点と、前記競技記録との対応関係を把握したい場合がある。
【０００７】
しかしながら、従来、前記競技者の競技記録と競技途中の前記独自情報との対応関係を把握可能な印刷物を容易に得ることを支援するシステムは提供されていない。
【０００８】
本発明の目的は、レースの競技者の競技記録と競技途中の独自情報との対応関係を把握可能な印刷物を容易に得ることができる画像形成装置および競技結果出力方法を提供することにある。
【課題を解決するための手段】
【０００９】
本発明の一の局面に係る画像形成装置は、通信部と、情報入力部と、画像形成部と、識別情報取得部と、競技記録受信部と、要求履歴受信部と、独自情報設定部と、画像編成部と、出力制御部とを備える。前記通信部は、サーバーと通信可能である。前記情報入力部は、ユーザーによる情報の入力を受け付ける。前記画像形成部は、シート材に画像を形成するジョブを実行する。前記識別情報取得部は、前記情報入力部を通じて、レースの競技者を識別する識別情報を取得する。前記競技記録受信部は、前記識別情報に対応する前記競技者の競技記録のデータを、前記サーバーから前記通信部を通じて受信する。前記要求履歴受信部は、前記識別情報に対応する要求時刻を含む要求履歴のデータを、前記サーバーから前記通信部を通じて受信する。前記要求時刻は、競技途中の前記競技者が身につけたウェアラブル端末から前記競技記録に対する情報の追記要求が送信された時刻に相当する時刻である。前記独自情報設定部は、前記情報入力部を通じた入力に従って、前記要求時刻に対応する独自情報を設定する。前記画像編成部は、前記競技記録、前記要求時刻および前記独自情報の各々を表す画像を含む競技結果画像のデータを編成する。前記出力制御部は、前記競技結果画像を前記シート材に形成する前記ジョブを前記画像形成部に実行させる。
【００１０】
本発明の他の局面に係る競技結果出力方法は、レースの競技者の競技記録を表す画像を含む競技結果画像をシート材に形成する方法である。前記競技結果出力方法は、以下に示される各工程を含む。第１工程は、ウェアラブル端末が、前記競技者による送信イベントの入力に応じて、前記競技者を識別する識別情報を含む追記要求データをサーバーに無線送信する工程である。前記ウェアラブル端末は、競技中の前記競技者が身につけた情報端末である。第２工程は、前記ウェアラブル端末、画像形成装置またはその他の情報端末が、前記識別情報に対応する前記競技者の競技記録のデータを前記サーバーから受信する工程である。第３工程は、前記ウェアラブル端末、前記画像形成装置またはその他の前記情報端末が、要求時刻を含む要求履歴のデータを、前記サーバーから受信する工程である。前記要求時刻は、前記識別情報に対応する前記追記要求データが送信された時刻に相当する時刻である。第４工程は、前記ウェアラブル端末、前記画像形成装置またはその他の前記情報端末が、ユーザーによる情報入力に従って、前記要求時刻に対応する独自情報を設定する工程である。第５工程は、前記ウェアラブル端末、前記画像形成装置またはその他の前記情報端末が、前記競技記録、前記要求時刻および前記独自情報の各々を表す画像を含む前記競技結果画像のデータを編成する工程である。第６工程は、前記画像形成装置が、前記競技結果画像を前記シート材に形成するジョブを実行する工程である。
【発明の効果】
【００１１】
本発明によれば、レースの競技者の競技記録と競技途中の独自情報との対応関係を把握可能な印刷物を容易に得ることができる画像形成装置および競技結果出力方法を提供することが可能になる。
【図面の簡単な説明】
【００１２】
【図１】図１は、第１実施形態に係る画像形成装置を含む競技結果出力システムのブロック図である。
【図２】図２は、第１実施形態に係る画像形成装置のブロック図である。
【図３】図３は、競技結果出力システムにおけるウェアラブル端末のブロック図である。
【図４】図４は、競技結果出力システムにおけるサーバーのブロック図である。
【図５】図５は、競技結果出力システムにおける独自情報追記要求処理の手順の一例を示すフローチャートである。
【図６】図６は、競技結果出力システムにおける競技結果印刷処理の手順の一例を示すフローチャートである。
【図７】図７は、第１実施形態に係る画像形成装置における初期の独自情報設定画面（１／２）の図である。
【図８】図８は、第１実施形態に係る画像形成装置における初期の独自情報設定画面（２／２）の図である。
【図９】図９は、第１実施形態に係る画像形成装置における情報設定後の独自情報設定画面（１／２）の図である。
【図１０】図１０は、第１実施形態に係る画像形成装置における情報設定後の独自情報設定画面（２／２）の図である。
【図１１】図１１は、第１実施形態に係る画像形成装置が出力する競技記録結果の印刷物の一例を表す図。
【発明を実施するための形態】
【００１３】
以下、添付図面を参照しながら、本発明の実施形態について説明する。なお、以下の実施形態は、本発明を具体化した一例であって、本発明の技術的範囲を限定する性格を有さない。
【００１４】
［競技結果出力システム］
まず、図１を参照しつつ、実施形態に係る画像形成装置１を含む競技結果出力システム１０の構成について説明する。競技結果出力システム１０は、マラソン、トライアスロンまたは自転車レースなどのレースにおいて、競技者９ｐ各々の競技結果を印刷物として出力するシステムである。前記印刷物は、競技者９ｐ各々の競技結果を表す画像を含む競技結果画像が形成されたシート材１ｓである。
【００１５】
図１が示すように競技結果出力システム１０は、画像形成装置１、ウェアラブル端末２およびサーバー３を含む。ウェアラブル端末２は、競技者９ｐ各々が身につける情報処理装置である。
【００１６】
例えば、ウェアラブル端末２が、腕時計タイプの情報端末またはメガネタイプの情報端末などであることが考えられる。また、本実施形態において、サーバー３は、第１サーバー３ａおよび第２サーバー３ｂを含む。
【００１７】
サーバー３は、ネットワーク１００を通じて画像形成装置１およびウェアラブル端末２と通信可能である。例えば、ネットワーク１００は、第１通信回線１０１と、第２通信回線１０２とインターネット１０３とを含む。
【００１８】
さらに、図１が示す競技結果出力システム１０は、競技者９ｐ各々の競技記録を計測するレースタイム計測装置９を含む。レースタイム計測装置９は、競技者９ｐ各々が身につける無線タグ９１と、計測地点各々に配置されたタグ検知装置９０とを含む。
【００１９】
ウェアラブル端末２およびサーバー３は、第１通信回線１０１およびインターネット１０３を通じて相互に通信可能である。例えば、第１通信回線１０１が、無線電話回線１０１１と固定電話回線１０１２とを含む公衆電話回線であることが考えられる。
【００２０】
無線電話回線１０１１は、無線基地局などを介して固定電話回線１０１２と接続されている。固定電話回線１０１２はインターネット１０３に接続されている。
【００２１】
また、画像形成装置１およびサーバー３は、第２通信回線１０２およびインターネットを通じて相互に通信可能である。例えば、第２通信回線１０２は、インターネット１０３に接続されたＬＡＮである。
【００２２】
無線タグ９１は、競技者９ｐの使用物に取り付けられる。前記使用物は、衣服、靴、ゼッケンまたは乗物などである。前記乗物は自転車などである。
【００２３】
タグ検知装置９０は、トリガーコイル９２、受信アンテナ９３および信号検知器９４などを備える。トリガーコイル９２が、レースの経路における前記中間計測地点および前記ゴール地点に磁界を発生させる。
【００２４】
無線タグ９１は、トリガーコイル９２が発生する磁界に侵入すると、タグ識別信号を表す電波を発信する。信号検知器９４は、受信アンテナ９３を通じて、前記タグ識別信号を受信する。さらに、信号検知器９４は、スタート時刻から前記タグ識別信号の受信時点までの経過時間を計時する。前記スタート時刻は、レースのスタート地点に配置された不図示のスタート時刻検出器から送信される。
【００２５】
信号検知器９４は、前記タグ識別信号の情報およびそれに対応する計時時間を含む計測情報を第１サーバー３ａへ送信する。
【００２６】
［画像形成装置１］
画像形成装置１は、プリンターの機能を備える装置である。画像形成装置１は、印刷データに基づく画像をシート材１ｓに形成する印刷ジョブを実行する。図２において、シート材１ｓが仮想線で示されている。
【００２７】
なお、画像形成装置１が、原稿の画像を読み取るスキャナーをさらに備える複写機であることも考えられる。この場合、画像形成装置１は、原稿からの読み取り画像をシート材１ｓに形成する。また、画像形成装置１が、ファクシミリ機能などのその他の機能をさらに備える複合機であることも考えられる。
【００２８】
画像形成装置１は、主制御部１１、印刷部１２、印刷制御部１３、画像処理部１４、通信部１５、操作部１６および表示部１７などを備える。さらに、画像形成装置１は、音響を出力するスピーカー１８も備える。
【００２９】
主制御部１１、印刷制御部１３、画像処理部１４および通信部１５は、バス１９を通じて相互にデータの受け渡しが可能である。
【００３０】
印刷部１２は、周知の電子写真方式の画像形成処理によって印刷ジョブを実行する。前記印刷ジョブは、シート材１ｓに画像を形成するジョブである。印刷部１２は、不図示の像担持体およびその周辺機器を備え、前記像担持体からシート材１ｓに現像剤の画像を転写するとともにその画像を加熱によりシート材１ｓに定着させる。なお、印刷部１２は画像形成部の一例である。なお、印刷部１２が、インクジェット法式の画像形成部であることも考えられる。
【００３１】
印刷制御部１３は、画像処理部１４から印刷用画像データを取得し、前記印刷用画像データ基づく前記印刷ジョブを印刷部１２に実行させる。
【００３２】
画像処理部１４は、バス１９を通じて他の機器から得た画像データなどに対する各種のデータ処理を実行する。
【００３３】
通信部１５は、ネットワーク１００を通じてサーバー３などの外部装置との間でデータの送受信を行う。さらに、通信部１５は、バス１９を通じて他の機器との間でデータの受け渡しを行う。
【００３４】
操作部１６は、例えばタッチパネルおよび操作ボタンなどを含む情報入力用の機器である。表示部１７は、液晶表示パネルなどの表示パネルおよび通知ランプなどを含む表示装置である。
【００３５】
主制御部１１は、印刷制御部１３、画像処理部１４、通信部１５および表示部１７を統括して制御する。例えば、主制御部１１は、表示部１７に情報入力画面などを表示させる。さらに、主制御部１１は、操作部１６に対する操作を通じて入力される入力情報および各種センサーの検出結果に応じて他の制御部に制御指令を出力する。図２が示すように、主制御部１１は、ＭＰＵ（Micro Processor Unit）１１および記憶部１１２などを備える。
【００３６】
ＭＰＵ１１１は、各種の演算およびデータ処理を実行するプロセッサーである。記憶部１１２は、ＭＰＵ１１１が参照する各種情報を記憶する不揮発性の記憶部である。また、記憶部１１２は、ＭＰＵ１１１による各種情報の読み書きが可能な記憶部でもある。
【００３７】
記憶部１１２は、ＭＰＵ１１１に各種の処理を実行させるためのプログラムも記憶する。なお、主制御部１１は、ＭＰＵ１１１が実行するプログラムを一時記憶するＲＡＭなどの不図示の揮発性記憶部も備える。
【００３８】
画像形成装置１は、前記レースの競技者９ｐ各々の競技記録を表す画像をシート材１ｓに形成する前記印刷ジョブを実行する機能を備える。例えば、前記レースを終えた競技者９ｐなどのユーザーが画像形成装置１を操作し、画像形成装置１が、その操作に従って前記印刷ジョブを実行する。
【００３９】
［ウェアラブル端末２］
ウェアラブル端末２は、腕時計タイプ、メガネタイプまたはスマートフォンタイプなど、競技中の競技者９ｐが身に付けている情報処理装置である。
【００４０】
図３が示すように、ウェアラブル端末２は、ＣＰＵ２１、記憶部２２、無線通信部２３、計時部２４、操作部２５および表示部２６などを備える。図３が示す例では、ウェアラブル端末２は、マイクロフォン２７およびスピーカー２８なども備える。
【００４１】
ＣＰＵ２１は、各種の演算およびデータ処理を実行するプロセッサーである。記憶部２２は、ＣＰＵ２１が参照する各種データを記憶する不揮発性の記憶部である。また、記憶部２２は、ＣＰＵ２１による各種データの読み書きが可能な記憶部でもある。
【００４２】
記憶部２２は、ＣＰＵ２１に各種の処理を実行させるためのプログラムも記憶する。なお、ウェアラブル端末２は、ＣＰＵ２１が実行するプログラムを一時記憶するＲＡＭなどの不図示の揮発性記憶部も備える。
【００４３】
無線通信部２３は、第１通信回線１０１を通じてサーバー３との間でデータの送受信を行う無線通信インターフェースである。
【００４４】
例えば、無線通信部２３は、ＧＭＳ（Global System for Mobile Communications）法式、ＣＤＭＡ（Code Division Multiple Access）法式またはＷ−ＣＤＭＡ（Wideband Code Division Multiple Access）法式などの通信プロトコルに従って無線通信を行う。ＣＰＵ２１は、無線通信部２３を通じてサーバー３との間でデータの送受信を行う。
【００４５】
操作部２５は、例えばタッチパネルおよび操作ボタンなどを含む情報入力部である。表示部２６は、液晶表示パネルなどの表示パネルである。ＣＰＵ２１は、操作部２５を通じて入力される指示またはデータに基づくデータ処理を行う。さらに、ＣＰＵ２１は、操作画面またはデータ処理の結果を表示する画面を表示部２６に出力する。
【００４６】
計時部２４は、時刻を計時し、計時結果をＣＰＵ２１に提供する。マイクロフォン２７は、競技者９ｐによって入力される音声などの入力音響の信号をＣＰＵ２１に伝送する。ＣＰＵ２１は、音響プログラムＰｒ２１を実行することにより、音響入力処理を実行する。前記音響入力処理は、前記入力音響の信号をエンコードすることによって音響データを生成する処理である。
【００４７】
また、ＣＰＵ２１が、音響プログラムＰｒ２１を実行することにより、音響出力処理を実行することも考えられる。前記音響出力処理は、前記音響データをデコードすることによってスピーカー２８を通じて音響を出力する処理である。
【００４８】
［サーバー３］
図４が示すように、サーバー３は、ＣＰＵ３１、記憶部３２および通信部３３を備える。
【００４９】
ＣＰＵ３１は、各種の演算およびデータ処理を実行するプロセッサーである。記憶部３２は、ＣＰＵ３１が参照する各種データを記憶する不揮発性の記憶部である。また、記憶部３２は、ＣＰＵ３１による各種データの読み書きが可能な記憶部でもある。
【００５０】
記憶部３２は、ＣＰＵ３１に各種の処理を実行させるためのプログラムも記憶する。なお、サーバー３は、ＣＰＵ３１が実行するプログラムを一時記憶するＲＡＭなどの不図示の揮発性記憶部も備える。
【００５１】
通信部３３は、ネットワーク１００を通じて画像形成装置１およびウェアラブル端末２との間でデータの送受信を行う通信インターフェースである。さらに、通信部３３は、ネットワーク１００を通じてレースタイム計測装置９から競技記録データＤ１を受信することも可能である。
【００５２】
第１サーバー３ａの記憶部３２は、前記レースへの参加登録がなされた競技者９ｐ各々に対応する登録データＤ０を予め記憶している。登録データＤ０は、相互に対応づけられた競技者識別情報と前記タグ識別信号の情報とを含む。前記競技者識別情報は、競技者９ｐ各々を識別する情報である。
【００５３】
第１サーバー３ａは、信号検知器９４から受信した前記計時時間を、それに対応する登録データＤ０に対応づけて競技記録データＤ１として記憶部３２に記憶させる。後述するように、第１サーバー３ａは、画像形成装置１からの要求に応じて競技記録データＤ１を返信する。
【００５４】
競技記録データＤ１を記憶部３２に記憶させ、画像形成装置１に送信する処理は、第１サーバー３ａのＣＰＵ３１が競技記録管理プログラムＰｒ３１を実行することによって実現される。
【００５５】
ところで、プリンターの機能を備える画像形成装置１が、第１サーバー３ａから競技者９ｐ各々の前記競技記録を表す画像の前記印刷ジョブを取得し、その印刷ジョブを実行することが考えられる。これにより、競技者９ｐ各々の前記競技記録を表す画像がシート材１ｓに形成される。また、競技者９ｐは、自身の競技結果を印刷物によって確認することができる。
【００５６】
一方、競技者９ｐが、競技途中における独自情報と公式の競技記録との対応関係を把握したい場合がある。前記独自情報は、公式には計時されない詳細な計時記録、自身の体調およびアクシデントなどに関する情報である。例えば、競技者９ｐは、足の痛みなどの体調変化を感じた時点、または、給水の失敗などのアクシデントが発生した時点と、前記競技記録との対応関係を把握したい場合がある。
【００５７】
しかしながら、従来、競技者９ｐの競技記録と競技途中の前記独自情報との対応関係を把握可能な印刷物を容易に得ることを支援するシステムは提供されていない。
【００５８】
本実施形態における画像形成装置１が採用されれば、レースの競技者９ｐの競技記録と競技途中の前記独自情報との対応関係を把握可能な印刷物を容易に得ることができる。以下、その詳細について説明する。
【００５９】
本実施形態において、競技結果出力システム１０は、レースの競技者９ｐの競技記録を表す画像を含む前記競技結果画像をシート材１ｓに形成する競技結果出力方法を実現する。前記競技結果出力方法の手順は、以下に示される独自情報追記要求処理の手順および競技結果印刷処理の手順を含む。
【００６０】
［前記独自情報追記要求処理］
まず、図５に示されるフローチャートを参照しつつ、ウェアラブル端末２が実行する前記独自情報追記要求処理について説明する。前記独自情報追記要求処理は、競技中の競技者９ｐの入力に従って追記要求データＤ２を第２サーバー３ｂへ送信する処理である。
【００６１】
ウェアラブル端末２のＣＰＵ２１が追記要求プログラムＰｒ２２を実行することにより、前記独自情報追記要求処理が実現される。以下の説明において、Ｓ１０１，Ｓ１０２，…は、ウェアラブル端末２のＣＰＵ２１が実行する各工程の識別符号を表す。
【００６２】
ＣＰＵ２１は、操作部２５に対して予め定められたプログラム起動操作が行われたことを検知したときに、前記独自情報追記要求処理を開始する。
【００６３】
＜工程Ｓ１０１＞
まず、ウェアラブル端末２のＣＰＵ２１は、登録認証処理を実行する。前記登録認証処理は、操作部２５を通じて入力される認証用入力情報Ｄ００が、登録データＤ０に前記競技者認証情報として登録された情報であるか否かの判定を第１サーバー３ａに要求し、その判定結果Ｄ０１を取得する処理である。
【００６４】
前記認証用入力情報が、登録データＤ０に登録された情報である場合、前記登録認証処理が成功であり、そうでない場合、前記登録認証処理が失敗である。前記登録認証処理が失敗した場合、前記独自情報追記要求処理が終了する。競技者９ｐは、前記登録認証処理が成功した後に競技を開始する。
【００６５】
第１サーバー３ａは、ウェアラブル端末２からの要求に応じて、認証用入力情報Ｄ００が、登録データＤ０に前記競技者認証情報として登録された情報であるか否かを判定し、判定結果Ｄ０１を返信する。
【００６６】
認証用入力情報Ｄ００は、競技者９ｐを識別する識別情報の一例である。また、操作部２５およびマイクロフォン２７は、ユーザーによる情報の入力を受け付ける情報入力部の一例である。
【００６７】
＜工程Ｓ１０２＞
前記登録認証処理が成功した後、ＣＰＵ２１は、競技者９ｐによる送信イベントの入力がなされるか否かを監視する。例えば、前記送信イベントの入力が、操作部２５に対する予め定められた送信指令の操作入力、または、マイクロフォン２７に対する予め定められた送信指令の音声入力などであることが考えられる。
【００６８】
競技者９ｐは、レースタイム計測装置９の計測結果以外の記録を残したい事象が発生したときに、前記操作イベントの入力を行う。例えば、競技者９ｐは、レースタイム計測装置９の計測地点以外で計時記録を残したい地点を通過するとき、および、体調変化またはアクシデントなどに、前記操作イベントの入力を行う。
【００６９】
＜工程Ｓ１０３＞
ＣＰＵ２１は、前記送信イベントの入力を検知すると、その時点における計時部２４の時刻を要求時刻として設定する。なお、前記送信イベントの入力が検知されない場合、ＣＰＵ２１は、工程Ｓ１０３〜Ｓ１０６の処理をスキップする。
【００７０】
＜工程Ｓ１０４＞
さらに、ＣＰＵ２１は、前記送信イベントの入力に引き続き、マイクロフォン２７を通じたメモ音声の入力がなされるか否かを判定する。前記メモ音声は、競技者９ｐが、前記送信イベントの入力時の状況を競技終了後に思い出すことに役立てる備忘録として残される音声である。
【００７１】
＜工程Ｓ１０５＞
前記メモ音声が入力された場合、ＣＰＵ２１は、前記メモ音声の信号をエンコードすることによってメモ音声データを生成する。なお、前記メモ音声の入力が、前記送信イベントの入力後の一定時間内になされない場合、ＣＰＵ２１は、工程Ｓ１０５の処理をスキップする。
【００７２】
＜工程Ｓ１０６＞
さらに、ＣＰＵ２１は、追記要求データＤ２を第２サーバー３ｂに対して送信する。即ち、ＣＰＵ２１は、競技者９ｐによる前記送信イベントの入力に応じて、前記競技者識別情報を含む追記要求データＤ２をサーバーに無線送信する。追記要求データＤ２は、成功した前記登録認証処理の対象であった前記競技者識別情報と工程Ｓ１０３で設定された前記要求時刻とを含む。
【００７３】
また、前記メモ音声が入力された場合、ＣＰＵ２１は、前記メモ音声データも追記要求データＤ２に含めて第２サーバー３ｂに送信する。
【００７４】
第２サーバー３ｂは、受信した追記要求データＤ２を、前記競技者識別情報ごとに要求履歴データＤ３として記憶部３２に記憶させる。後述するように、第２サーバー３ｂは、画像形成装置１からの要求に応じて要求履歴データＤ３を返信する。
【００７５】
要求履歴データＤ３を記憶部３２に記憶させ、画像形成装置１に送信する処理は、第２サーバー３ｂのＣＰＵ３１が要求履歴管理プログラムＰｒ３２を実行することによって実現される。
【００７６】
なお、追記要求データＤ２に含まれる前記要求時刻は、追記要求データＤ２が送信された時刻に相当する。前記要求時刻が追記要求データＤ２に含められる代わりに、第２サーバー３ｂが、追記要求データＤ２の受信時刻を前記要求時刻として設定することも考えられる。この場合、第２サーバー３ｂが設定した前記要求時刻が、前記要求履歴データＤ３に含められる。
【００７７】
＜工程Ｓ１０７＞
前記送信イベントの入力がない場合、および、追記要求データＤ２が送信された場合、ＣＰＵ２１は、操作部２５に対して予め定められた終了操作が行われるか否かを判定する。競技者９ｐは、競技の終了後に操作部２５に対する前記終了操作を行う。
【００７８】
そして、ＣＰＵ２１は、前記終了操作を検知するまで工程Ｓ１０２〜Ｓ１０７の処理を繰り返す。また、ＣＰＵ２１が前記終了操作を検知すると、前記独自情報追記要求処理が終了する。
【００７９】
［前記競技結果印刷処理］
次に、図６に示されるフローチャートを参照しつつ、画像形成装置１が実行する前記競技結果印刷処理について説明する。前記競技結果印刷処理は、競技者９ｐ各々の競技結果を印刷物として出力する処理である。
【００８０】
画像形成装置１のＭＰＵ１１１が競技結果印刷プログラムＰｒ１１を実行するときの主制御部１１が、前記競技結果印刷処理を実行する。以下の説明において、Ｓ２０１，Ｓ２０２，…は、画像形成装置１の主制御部１１が実行する各工程の識別符号を表す。
【００８１】
主制御部１１は、操作部１６に対して予め定められた開始操作が行われたことを検知したときに、前記競技結果印刷処理を開始する。
【００８２】
＜工程Ｓ２０１＞
前記競技結果印刷処理において、主制御部１１は、図５の工程Ｓ１０１の処理と同様の登録認証処理を実行する。主制御部１１の前記登録認証処理は、操作部１６を通じて入力される認証用入力情報Ｄ００が、登録データＤ０に前記競技者認証情報として登録された情報であるか否かの判定を第１サーバー３ａに要求し、その判定結果Ｄ０１を取得する処理である。
【００８３】
第１サーバー３ａは、画像形成装置１からの要求に応じて、認証用入力情報Ｄ００が、登録データＤ０に前記競技者認証情報として登録された情報であるか否かを判定し、判定結果Ｄ０１を返信する。前記登録認証処理が失敗した場合、前記競技結果印刷処理が終了する。
【００８４】
前述したように、認証用入力情報Ｄ００は、競技者９ｐを識別する識別情報の一例である。また、操作部１６は、ユーザーによる情報の入力を受け付ける情報入力部の一例である。また、工程Ｓ２０１の処理を実行する主制御部１１は、前記情報入力部を通じて、レースの競技者９ｐを識別する情報を取得する識別情報取得部の一例である。なお、前記ユーザーの典型例は競技者９ｐである。
【００８５】
＜工程Ｓ２０２＞
前記登録認証処理が成功した後、主制御部１１は、競技記録受信処理を実行する。前記競技記録受信処理は、認証用入力情報Ｄ００に対応する競技者９ｐの競技記録データＤ１を、第１サーバー３ａから通信部１５を通じて受信する処理である。この処理を実行する主制御部１１が競技記録受信部の一例である。
【００８６】
前記競技記録受信処理において、主制御部１１は、予め定められたデータ要求コマンドととともに認証用入力情報Ｄ００を第１サーバー３ａに送信する。さらに、主制御部１１は、第１サーバー３ａから返信される競技記録データＤ１を受信する。
【００８７】
本実施形態において、競技記録データＤ１は、競技者９ｐが前記スタート地点から予め定められた前記中間計測地点および前記ゴール地点の各々に到達するまでの走行距離および計時時間の情報と、レース開始時刻の情報とを含む。
【００８８】
さらに、競技記録データＤ１が、完走認定情報、前記レースにおける競技者９ｐの順位および成績上位の他の競技者９ｐの記録などにの情報を含むことも考えられる。前記完走認定情報は、前記レースにおいて競技者９ｐが完走したことを認定する情報である。
【００８９】
また、第１サーバー３ａの記憶部３２が、前回の同じレースにおける同じ競技者９ｐの競技記録データＤ１を記憶していることも考えられる。この場合、第１サーバー３ａは、今回および前回のレースにおける同じ前記競技者識別情報に対応する競技記録データＤ１を画像形成装置１に送信し、画像形成装置１がそれらを受信する。
【００９０】
＜工程Ｓ２０３＞
前記登録認証処理が成功した後、主制御部１１は、さらに要求履歴受信処理を実行する。前記要求履歴受信処理は、認証用入力情報Ｄ００に対応する要求履歴データＤ３を、第２サーバー３ｂから通信部１５を通じて受信する処理である。この処理を実行する主制御部１１が要求履歴受信部の一例である。
【００９１】
前記要求履歴受信処理において、主制御部１１は、予め定められたデータ要求コマンドととともに認証用入力情報Ｄ００を第２サーバー３ｂに送信する。さらに、主制御部１１は、第２サーバー３ｂから返信される要求履歴データＤ３を受信する。
【００９２】
＜工程Ｓ２０４＞
次に、主制御部１１は、独自情報設定処理を実行する。前記独自情報設定処理は、操作部１６を通じた情報の入力に従って、要求履歴データＤ３の前記要求時刻に対応する独自情報を設定する処理である。前記独自情報は、競技者９ｐごとに任意に設定される情報である。工程Ｓ２０４の処理を実行する主制御部１１が独自情報設定部の一例である。
【００９３】
例えば、主制御部１１は、前記独自情報設定処理において、図７，８に示されるような独自情報設定画面ｇ１を表示部１７に表示させる。図７は、初期の１ページ目の独自情報設定画面ｇ１を示し、図８は、初期の２ページ目の独自情報設定画面ｇ１を示す。
【００９４】
独自情報設定画面ｇ１は、前記独自情報の入力画面であるとともに、前記競技結果画像の確認画面でもある。
【００９５】
主制御部１１は、１ページ目の独自情報設定画面ｇ１におけるページ送りアイコンｇ１７が操作された場合に、２ページ目の独自情報設定画面ｇ１を表示部１７に表示させる。また、主制御部１１は、２ページ目の独自情報設定画面ｇ１におけるページ戻しアイコンｇ１９が操作された場合に、１ページ目の独自情報設定画面ｇ１を表示部１７に表示させる。
【００９６】
独自情報設定画面ｇ１は、競技記録表示領域ｇ１１、時間表示領域ｇ１２、メモ入力枠ｇ１３、走行距離入力枠ｇ１４、ラップタイム表示領域ｇ１６および競技経過グラフｇ１８などを含む。さらに、要求履歴データＤ３に前記メモ音声データが含まれる場合、主制御部１１は、再生アイコンｇ１５を独自情報設定画面ｇ１に含めて表示部１７に表示させる。
【００９７】
競技記録表示領域ｇ１１は、工程Ｓ２０２で得られた競技記録データＤ１の情報が表示される領域である。主制御部１１は、前回の競技記録データＤ１も受信した場合、競技記録表示領域ｇ１１に前回の競技記録データＤ１の情報も表示させる。
【００９８】
また、時間表示領域ｇ１２は、競技記録データＤ１における計時時間と、工程Ｓ２０３で得られた要求履歴データＤ３の前記要求時刻を表す時間とが表示される領域である。
【００９９】
競技記録表示領域ｇ１１において、競技記録データＤ１の時間情報と前記要求時刻を表す時間情報とが時系列で表示されている。前記要求時刻を表す時間情報は、前記スタート時刻から前記要求時刻までの経過時間である。
【０１００】
メモ入力枠ｇ１３は、競技記録表示領域ｇ１１に表示される時間情報各々に対応するテキスト情報であるメモが入力される領域である。前記メモは、操作部１６に対するテキスト入力操作に従って設定される。
【０１０１】
本実施形態において、メモ入力枠ｇ１３は、前記要求時刻を表す時間情報に対応する前記メモの入力枠に加え、競技記録データＤ１の時間情報に対応する前記メモの入力枠も含む。
【０１０２】
走行距離入力枠ｇ１４は、競技記録表示領域ｇ１１に表示される時間情報各々に対応する走行距離の情報が入力および表示される領域である。初期の独自情報設定画面ｇ１においては、前記要求時刻に対応する前記走行距離の情報は、未設定であるため表示されない。また、競技記録データＤ１の前記走行距離の情報は、予め設定されており、変更できない。
【０１０３】
図７，８が示す例において、"Ｐ１"および"Ｇ"の表記に対応する前記時間情報および前記走行距離の情報は、それぞれ前記中間計測地点および前記ゴール地点における競技記録データＤ１の情報である。一方、"Ａ１"，"Ａ２"および"Ａ３"の表記に対応する前記時間情報は、要求履歴データＤ３の前記要求時刻を表す情報である。
【０１０４】
ラップタイム表示領域ｇ１６は、走行距離入力枠ｇ１４に表示される前記走行距離の地点とその１つ前の地点との間における単位距離あたりの走行時間の情報が表示される領域である。以下、ラップタイム表示領域ｇ１６に表示される走行時間のことをラップタイムと称する。
【０１０５】
走行距離入力枠ｇ１４に前記要求時刻に対応する前記走行距離が新たに入力または更新された場合、ラップタイム表示領域ｇ１６に表示される前記ラップタイムが、入力後または更新後の前記素行距離の情報と整合するように更新される。
【０１０６】
競技経過グラフｇ１８は、走行距離入力枠ｇ１４に表示される前記走行距離と時間表示領域ｇ１２に表示される時間との対応関係を表すグラフである。走行距離入力枠ｇ１４に前記要求時刻に対応する前記走行距離が新たに入力または更新された場合、競技経過グラフｇ１８が更新される。
【０１０７】
また、主制御部１１は、前回の競技記録データＤ１も受信した場合、競技経過グラフｇ１８に前回の競技記録データＤ１のグラフも表示させる。図７，８において、一点鎖線のグラフが、前回の競技記録データＤ１のグラフである。
【０１０８】
図７，８において、"？"マークのアイコンが表示された部分が、操作部１６に対する操作によって入力可能な情報が表示される部分である。主制御部１１は、独自情報設定画面ｇ１における、"？"マークのアイコンが操作された場合に、それに引き続き入力される情報を前記独自情報として設定する。
【０１０９】
本実施形態において、前記要求時刻に対応する"？"マークのアイコンの操作に引き続き入力される前記メモおよび前記走行距離が、前記独自情報の一例である。
【０１１０】
主制御部１１は、操作部１６を通じた入力に従って、前記要求時刻に対応する前記自情報を設定する。この処理を実行する主制御部１１が独自情報設定部の一例である。
【０１１１】
また、本実施形態において、主制御部１１は、競技者９ｐの競技途中における前記走行距離の情報を前記独自情報として設定可能である。この処理を実行する主制御部１１が走行距離設定部の一例である。
【０１１２】
また、再生アイコンｇ１５が操作されると、主制御部１１は、操作された再生アイコンｇ１５に対応する前記メモ音声データに基づく音声を、スピーカー１８を通じて出力する。この処理を実行する主制御部１１は、要求履歴データＤ３に含まれる音声データを再生する音声再生部の一例である。
【０１１３】
画像形成装置１を操作する競技者９ｐは、前記メモ音声を聞くことにより、競技中に前記走行距離または前記メモとして入力するつもりであった内容を容易に思い出すことができる。
【０１１４】
図９，１０は、前記独自情報が設定された後の独自情報設定画面ｇ１の一例を示す。ユーザーは、前記独自情報が設定された後の独自情報設定画面ｇ１によって印刷物の画像を確認することができる。
【０１１５】
主制御部１１は、操作部１６に対して印刷開始の操作がなされたことを検知すると、前記独自情報設定処理を終了し次の工程Ｓ２０５へ処理を進める。
【０１１６】
＜工程Ｓ２０５＞
印刷開始の操作が行われると、主制御部１１は、前記独自情報が設定されていない前記要求時刻が存在するか否かを判定する。
【０１１７】
例えば、主制御部１１は、前記要求時刻各々に対応する前記走行距離および前記メモの両方が設定されていなければ未設定の前記独自情報が存在すると判定し、そうでなければ未設定の前記独自情報が存在しないと判定する。
【０１１８】
未設定の前記独自情報が存在しない場合、主制御部１１は、次の工程Ｓ２０６をスキップし、工程Ｓ２０７へ処理を進める。
【０１１９】
＜工程Ｓ２０６＞
未設定の前記独自情報が存在する場合、主制御部１１は、表示部１７に警告画面を表示させる。前記警告画面は、そのまま印刷を実行するか、或いは前記独自情報を再設定するかの確認操作を受け付ける画面でもある。
【０１２０】
前記警告画面において印刷を実行する旨の確認操作が行われた場合、主制御部１１は、次の工程Ｓ２０７へ処理を進める。一方、前記警告画面において前記独自情報を再設定する旨の確認操作が行われた場合、主制御部１１は、工程Ｓ２０４からの処理を繰り返す。
【０１２１】
＜工程Ｓ２０７＞
工程Ｓ２０７において、主制御部１１は、前記競技結果画像のデータを編成する。本実施形態において、前記競技結果画像は、競技記録データＤ１を表す画像と、要求履歴データＤ３の前記要求時刻を表す画像と、設定された前記独自情報を表す画像とを含む。なお、工程Ｓ２０７の処理を実行する主制御部１１が画像編成部の一例である。
【０１２２】
図１１は、前記競技結果画像がシート材１ｓに形成されることによって得られる印刷物の一例を示す。図１１が示す例において、前記競技結果画像は、第１テキスト画像ｇ２１、第２テキスト画像ｇ２２、第３テキスト画像ｇ２３、第４テキスト画像ｇ２４、第５テキスト画像ｇ２５およびグラフ画像ｇ２６を含む。
【０１２３】
第１テキスト画像ｇ２１は、競技記録データＤ１における前記走行距離および前記計時時間の情報を表すテキスト画像である。第２テキスト画像ｇ２２は、前記要求時刻の時間情報と、競技記録データＤ１の時間情報とを表すテキスト画像である。
【０１２４】
第３テキスト画像ｇ２３は、前記要求時刻の時間情報および競技記録データＤ１の時間情報に対応する前記メモを表すテキスト画像である。第４テキスト画像ｇ２４は、前記要求時刻の時間情報に対応して設定された前記走行距離の情報と、競技記録データＤ１の前記走行距離の情報とを表すテキスト画像である。
【０１２５】
第５テキスト画像ｇ２５は、主制御部１１が算出した前記ラップタイムを表すテキスト画像である。グラフ画像ｇ２６は、前記要求時刻の時間情報および競技記録データＤ１の時間情報と、前記要求時刻に対応して設定された前記走行距離および競技記録データＤ１の走行距離との関係を表すグラフの画像である。
【０１２６】
＜工程Ｓ２０８＞
続いて、主制御部１１は、印刷制御部１３を通じて、前記競技結果画像をシート材１ｓに形成する前記印刷ジョブを印刷部１２に実行させる。この処理を実行する主制御部１１が出力制御部の一例である。なお、印刷部１２が前記印刷ジョブを実行する。
【０１２７】
＜工程Ｓ２０９＞
さらに、主制御部１１は、受信した競技記録データＤ１に前記完走認定情報が含まれるか否かを判定する。前記完走認定情報が競技記録データＤ１に含まれない場合、前記競技結果印刷処理が終了する。
【０１２８】
＜工程Ｓ２１０＞
前記完走認定情報が競技記録データＤ１に含まれる場合、主制御部１１は、予め定められた様式の完走認定証の画像をシート材１ｓに形成する前記印刷ジョブを印刷部１２に実行させる。その後、前記競技結果印刷処理が終了する。
【０１２９】
本実施形態において、工程Ｓ２０８の処理が行われることにより、例えば図１１に示されるような印刷物が得られる。これにより、競技者９ｐは、自身の競技結果を印刷物によって確認することができる。さらに、競技者９ｐは、競技途中における前記独自情報と公式の競技記録との対応関係を把握できる。
【０１３０】
例えば、競技者９ｐは、公式には計時されない詳細な計時記録と公式の競技記録との対応関係を、図１１の前記印刷物における第２テキスト画像ｇ２２およびグラフ画像ｇ２６などによって容易に確認することができる。
【０１３１】
さらに、競技者９ｐは、自身の体調およびアクシデントなどに関する前記メモと公式の競技記録との対応関係を、図１１の前記印刷物における第２テキスト画像ｇ２２、第３テキスト画像ｇ２３および第４テキスト画像ｇ２４などによって容易に確認することができる。
【０１３２】
また、図１１が示す例において、第４テキスト画像ｇ２４および第２テキスト画像ｇ２２は、前記独自情報として設定された前記走行距離の情報およびこれに対応する前記要求時刻の時間情報を、競技途中における競技記録の一部として表す画像である。工程Ｓ２０７において、主制御部１１が、そのような第４テキスト画像ｇ２４および第２テキスト画像ｇ２２を含む前記競技結果画像を編成することにより、公式には計時されない詳細な計時記録を容易に確認することが可能になる。
【０１３３】
また、前記競技結果画像がシート材１ｓに形成される前の予め定められたタイミングにおいて、主制御部１１は、前記独自情報が設定されていない前記要求時刻が存在する場合に警告を出力する（Ｓ２０６）。これにより、前記独自情報の入力忘れを防止することができる。なお、工程Ｓ２０５，Ｓ２０６の処理を実行する主制御部１１が警告出力部の一例である。
【０１３４】
[応用例]
図６に示される前記競技結果印刷処理において、画像形成装置１と無線通信が可能なウェアラブル端末２またはその他の情報端末が、工程Ｓ２０１〜Ｓ２０７，Ｓ２０９の処理を実行することが考えられる。
【０１３５】
例えば、画像形成装置１およびウェアラブル端末２が、相互に近距離無線通信を行う無線通信部を備えることが考えられる。また、画像形成装置１および競技者９ｐが所有するスマートフォンなどの情報端末が、相互に近距離無線通信を行う無線通信部を備えることも考えられる。
【０１３６】
そして、ウェアラブル端末２のＣＰＵ２１または前記情報端末が備える他のＣＰＵが、前記競技結果印刷処理における工程Ｓ２０１〜Ｓ２０７の処理を実行する。さらに、工程Ｓ２０８において、ＣＰＵ２１または前記他のＣＰＵが、前記無線通信部を通じて前記競技結果画像のデータを画像形成装置１に送信する。さらに、画像形成装置１が、ウェアラブル端末２または前記情報端末から受信した前記競技結果画像のデータに基づく前記印刷ジョブを実行する。
【０１３７】
また、ＣＰＵ２１または前記他のＣＰＵが工程Ｓ２０９の処理を実行する。前記完走認定情報が競技記録データＤ１に含まれる場合、工程Ｓ２１０において、ＣＰＵ２１または前記他のＣＰＵが、前記無線通信部を通じて画像形成装置１に前記完走認定証の画像データを送信する。さらに、画像形成装置１が、ウェアラブル端末２または前記情報端末から受信した前記完走認定証の画像データに基づく前記印刷ジョブを実行する。
【０１３８】
また、前述の実施形態において、競技記録データＤ１における計測結果の情報が、時刻情報であることも考えられる。この場合、画像形成装置１が、前記レース開始時刻から競技記録データＤ１における計測時刻までの経過時間を競技記録の時間として算出する。
【０１３９】
また、第１サーバー３ａおよび第２サーバー３ｂが、１台の情報処理装置または３台以上の情報処理装置によって構成されることも考えられる。
【０１４０】
なお、本発明に係る画像形成装置および競技結果出力方法は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０１４１】
１        ：画像形成装置
１ｓ      ：シート材
２        ：ウェアラブル端末
３        ：サーバー
３ａ      ：第１サーバー
３ｂ      ：第２サーバー
９        ：レースタイム計測装置
９ｐ      ：競技者
１０      ：競技結果出力システム
１１      ：主制御部
１２      ：印刷部（画像形成部）
１３      ：印刷制御部
１４      ：画像処理部
１５      ：通信部
１６      ：操作部
１７      ：表示部
１８      ：スピーカー
１９      ：バス
２１      ：ＣＰＵ
２２      ：記憶部
２３      ：無線通信部
２４      ：計時部
２５      ：操作部
２６      ：表示部
２７      ：マイクロフォン
２８      ：スピーカー
３１      ：ＣＰＵ
３２      ：記憶部
３３      ：通信部
９０      ：タグ検知装置
９１      ：無線タグ
９２      ：トリガーコイル
９３      ：受信アンテナ
９４      ：信号検知器
１００    ：ネットワーク
１０１    ：第１通信回線
１０２    ：第２通信回線
１０３    ：インターネット
１１１    ：ＭＰＵ
１１２    ：記憶部
１０１１  ：無線電話回線
１０１２  ：固定電話回線
Ｄ０      ：登録データ
Ｄ００    ：認証用入力情報
Ｄ１      ：競技記録データ
Ｄ２      ：追記要求データ
Ｄ３      ：要求履歴データ
Ｐｒ１１  ：競技結果印刷プログラム
Ｐｒ２１  ：音響プログラム
Ｐｒ２２  ：追記要求プログラム
Ｐｒ３１  ：競技記録管理プログラム
Ｐｒ３２  ：要求履歴管理プログラム
ｇ１      ：独自情報設定画面
【図１】
2017043071.tif 000003
【図２】
2017043071.tif 000004
【図３】
2017043071.tif 000005
【図４】
2017043071.tif 000006
【図５】
2017043071.tif 000007
【図６】
2017043071.tif 000008
【図７】
2017043071.tif 000009
【図８】
2017043071.tif 000010
【図９】
2017043071.tif 000011
【図１０】
2017043071.tif 000012
【図１１】
2017043071.tif 000013